(57)【要約】【課題】ユーザに有益な情報をリアルタイムで配信することが可能なサーバ装置、システム、方法及びプログラムを提供すること。【解決手段】本発明に係るサーバ装置１１は、端末１２を使用するユーザＵに関するユーザ情報Ｊ１と所定領域Ｅ１４でユーザＵに対して行われるサービスに関するサービス情報Ｊ２を記憶する記憶部１１１と、ユーザ情報Ｊ１に基づいて、サービス情報Ｊ２に含まれるユーザＵに有益な有益情報Ｊ３を生成する情報生成部１１２と、端末１２と所定領域Ｅ１４との間の距離Ｄが第１距離Ｄ１以下の場合、端末１２に有益情報Ｊ３を配信する配信部１１３と、を備える。【選択図】図１
2018147245.tif 000002
【特許請求の範囲】
【請求項１】
端末を使用するユーザに関するユーザ情報と所定領域で前記ユーザに対して行われるサービスに関するサービス情報を記憶する記憶部と、
前記ユーザ情報に基づいて、前記サービス情報に含まれる前記ユーザに有益な有益情報を生成する情報生成部と、
前記端末と前記所定領域との間の距離が第１距離以下の場合、前記端末に前記有益情報を配信する配信部と、
を備えるサーバ装置。
【請求項２】
前記有益情報は、前記サービス情報の中から選択される、
請求項１に記載のサーバ装置。
【請求項３】
前記ユーザ情報は、前記ユーザの人数、前記ユーザの属性、前記ユーザの趣味及び前記ユーザの嗜好の情報のうち少なくともいずれかを含む、
請求項１又は２に記載のサーバ装置。
【請求項４】
前記サービス情報は、前記所定領域に存在する店舗に関する情報を含む、
請求項１乃至３のいずれか１つに記載のサーバ装置。
【請求項５】
前記サービス情報は、前記端末と前記所定領域との間の距離が第２距離以下の場合、記憶される、
請求項１乃至４のいずれか１つに記載のサーバ装置。
【請求項６】
前記ユーザ情報は、前記端末と前記所定領域との間の距離が第３距離以下の場合、記憶される、
請求項１乃至５のいずれか１つに記載のサーバ装置。
【請求項７】
前記第２距離は前記第１距離よりも大きく、前記第３距離は前記第１距離よりも大きい、
請求項５又は６に記載のサーバ装置。
【請求項８】
端末と前記端末に有益情報を配信するサーバ装置とを備え、
前記サーバ装置は、
前記端末を使用するユーザに関するユーザ情報と所定領域で前記ユーザに対して行われるサービスに関するサービス情報を記憶する記憶部と、
前記ユーザ情報に基づいて、前記サービス情報に含まれる前記ユーザに有益な前記有益情報を生成する情報生成部と、
前記端末と前記所定領域との間の距離が第１距離以下の場合、前記端末に前記有益情報を配信する配信部と、を備え、
前記端末は、
前記ユーザ情報を前記サーバ装置に送信する送信部と、
前記サーバ装置から前記有益情報を受信する受信部と、を備える、
システム。
【請求項９】
端末を使用するユーザに関するユーザ情報と所定領域で前記ユーザに対して行われるサービスに関するサービス情報を記憶するステップと、
前記ユーザ情報に基づいて、前記サービス情報に含まれる前記ユーザに有益な有益情報を生成するステップと、
前記端末と前記所定領域との間の距離が第１距離以下の場合、前記端末に前記有益情報を配信するステップと、
を備える方法。
【請求項１０】
端末を使用するユーザに関するユーザ情報と所定領域で前記ユーザに対して行われるサービスに関するサービス情報を記憶するステップと、
前記ユーザ情報に基づいて、前記サービス情報に含まれる前記ユーザに有益な有益情報を生成するステップと、
前記端末と前記所定領域との間の距離が第１距離以下の場合、前記端末に前記有益情報を配信するステップと、
をコンピュータに実行させるプログラム。
【発明の詳細な説明】
【技術分野】
【０００１】
本発明は、サーバ装置、システム、方法及びプログラムに関するものであり、特に、ユーザに有益な情報をリアルタイムで配信することが可能なサーバ装置、システム、方法及びプログラムに関する。
【背景技術】
【０００２】
近年、スマートフォンやタブレットの普及に伴い、高速道路上を走行中の車両のドライバーや同乗者が、サービスエリアに関する情報をリアルタイムで得たいとの要求が高まっている。しかしながら、高速道路におけるサービスエリアに関する情報は、紙媒体に記録された情報や車両に付属するカーナビゲーション（携帯等のアプリも含む）に予め記録された情報が主であった。このため、車両のドライバー等が、時事刻々と変化するサービスエリアに関する情報であって有益な情報をリアルタイムで入手することが難しいという問題があった。
【０００３】
特許文献１には、サーバシステムが携帯端末からの記録を解析してユーザに適した情報サービスを携帯端末に対して基地局から提供することが開示されている。しかしながら、特許文献１には、サービスエリアなどの所定領域でユーザに対して行われるサービスに関するサービス情報を、携帯端末に対して提供することは開示されていない。
【０００４】
特許文献２には、危険車両が接近していることを通知する車両通知装置が開示されている。しかしながら、特許文献２には、端末のユーザに有益な情報をユーザに対して提供することは開示されていない。
【先行技術文献】
【特許文献】
【０００５】
【特許文献１】特開２０００−１２３０２７号公報
【特許文献２】特開２０１６−０７６０３０号公報
【発明の概要】
【発明が解決しようとする課題】
【０００６】
上述のように、車両のドライバー等が、時事刻々と変化するサービスエリアに関する情報であって有益な情報をリアルタイムで入手することが難しいという問題があった。
【０００７】
本発明は、このような問題を解決するためになされたものであり、ユーザに有益な情報をリアルタイムで配信することが可能なサーバ装置、システム、方法及びプログラムを提供することを目的とする。
【課題を解決するための手段】
【０００８】
本発明に係るサーバ装置は、
端末を使用するユーザに関するユーザ情報と所定領域で前記ユーザに対して行われるサービスに関するサービス情報を記憶する記憶部と、
前記ユーザ情報に基づいて、前記サービス情報に含まれる前記ユーザに有益な有益情報を生成する情報生成部と、
前記端末と前記所定領域との間の距離が第１距離以下の場合、前記端末に前記有益情報を配信する配信部と、
を備える。
【０００９】
本発明に係るシステムは、
端末と前記端末に有益情報を配信するサーバ装置とを備え、
前記サーバ装置は、
前記端末を使用するユーザに関するユーザ情報と所定領域で前記ユーザに対して行われるサービスに関するサービス情報を記憶する記憶部と、
前記ユーザ情報に基づいて、前記サービス情報に含まれる前記ユーザに有益な前記有益情報を生成する情報生成部と、
前記端末と前記所定領域との間の距離が第１距離以下の場合、前記端末に前記有益情報を配信する配信部と、を備え、
前記端末は、
前記ユーザ情報を前記サーバ装置に送信する送信部と、
前記サーバ装置から前記有益情報を受信する受信部と、を備える、
システム。
【００１０】
本発明に係る方法は、
端末を使用するユーザに関するユーザ情報と所定領域で前記ユーザに対して行われるサービスに関するサービス情報を記憶するステップと、
前記ユーザ情報に基づいて、前記サービス情報に含まれる前記ユーザに有益な有益情報を生成するステップと、
前記端末と前記所定領域との間の距離が第１距離以下の場合、前記端末に前記有益情報を配信するステップと、
を備える。
【００１１】
本発明に係るプログラムは、
端末を使用するユーザに関するユーザ情報と所定領域で前記ユーザに対して行われるサービスに関するサービス情報を記憶するステップと、
前記ユーザ情報に基づいて、前記サービス情報に含まれる前記ユーザに有益な有益情報を生成するステップと、
前記端末と前記所定領域との間の距離が第１距離以下の場合、前記端末に前記有益情報を配信するステップと、
をコンピュータに実行させる。
【発明の効果】
【００１２】
本発明によれば、ユーザに有益な情報をリアルタイムで配信することが可能なサーバ装置、システム、方法及びプログラムを提供することができる。
【図面の簡単な説明】
【００１３】
【図１】実施の形態１に係るサーバ装置及び端末を例示するブロック図である。
【図２】実施の形態１に係るシステムを例示するブロック図である。
【図３】実施の形態１に係るシステムの処理フローを例示するフローチャートである。
【発明を実施するための形態】
【００１４】
以下、図面を参照して本発明の実施の形態について説明する。各図面において、同一又は対応する要素には同一の符号が付されており、説明の明確化のため、必要に応じて重複説明を省略する。
【００１５】
［実施の形態１］
実施の形態１に係るサーバ装置について説明する。
図１は、実施の形態１に係るサーバ装置及び端末を例示するブロック図である。
【００１６】
図１に示すように、実施の形態１に係るサーバ装置１１は、記憶部１１１と情報生成部１１２と配信部１１３とを備える。端末１２は、送信部１２１と受信部１２２を備える。
【００１７】
ユーザ情報Ｊ１は、端末１２を使用するユーザＵに関する情報であり、端末１２からサーバ装置１１に送信される。サービス情報Ｊ２は、所定領域Ｅ１４でユーザＵに対して行われるサービスに関する情報である。サービス情報Ｊ２は、例えば、所定領域Ｅ１４内に設置されたサービス情報配信装置１５からサーバ装置１１に送信される。記憶部１１１は、ユーザ情報Ｊ１とサービス情報Ｊ２を記憶する。
【００１８】
情報生成部１１２は、ユーザ情報Ｊ１に基づいて、サービス情報Ｊ２に含まれるユーザＵに有益な有益情報Ｊ３を生成する。情報生成部１１２は、有益情報Ｊ３をサービス情報Ｊ２の中から選択してもよい。
【００１９】
配信部１１３は、端末１２と所定領域Ｅ１４との間の距離Ｄが第１距離Ｄ１以下の場合、端末１２に有益情報Ｊ３を配信する。すなわち、端末１２が有る程度、所定領域Ｅ１４に近づいてきたら有益情報Ｊ３を配信する。
【００２０】
端末１２が所定領域Ｅ１４に近づいてきたということは、端末１２が近いうちに所定領域Ｅ１４内に入ることが予測される。よって、そのときに必要とされる有益情報Ｊ３を、サーバ装置１１から端末１２に予め配信することで、必要な情報を必要な時にユーザＵに提供することができる。
【００２１】
また、距離Ｄが第１距離Ｄ１よりも大きく、端末１２が所定領域Ｅ１４から遠ざかる場合には、サーバ装置１１は有益情報Ｊ３を端末１２に配信しない。これにより、サーバ装置１１は、無駄な情報を配信しなくてもよいので、サーバ装置１１の負荷を低減することができる。
【００２２】
端末１２の送信部１２１は、ユーザ情報Ｊ１をサーバ装置１１に送信する。端末１２の受信部１２２は、サーバ装置１１から有益情報Ｊ３を受信する。
【００２３】
実施の形態１に係るサーバ装置１１は、端末１２と所定領域Ｅ１４との間の距離Ｄが第１距離Ｄ１以下になると、端末１２に有益情報Ｊ３を配信する。すなわち、端末１２を使用するユーザＵが所定領域Ｅ１４の近くまで来る。このとき、サーバ装置１１は、所定領域Ｅ１４のサービスであり、ユーザＵにとって有益である時事刻々と変化する有益情報Ｊ３を、ユーザＵに対してリアルタイムで配信することができる。これにより、ユーザＵに有益な有益情報Ｊ３をリアルタイムで配信することが可能なサーバ装置、システム、方法及びプログラムを提供することができる。
【００２４】
尚、ユーザ情報Ｊ１には、ユーザＵの人数、ユーザＵの属性、ユーザＵの趣味及びユーザＵの嗜好の情報のうち少なくともいずれかの情報が含まれている。ユーザ情報Ｊ１がこれらの情報を含むことにより、サーバ装置１１は、ユーザＵの人数を考慮した有益情報Ｊ３を配信することができる。例えば、サーバ装置１１は、ユーザＵの人数が４人である場合、４人を収容可能な店舗や飲食店に関する有益情報Ｊ３をユーザＵに配信することができる。
【００２５】
また、サーバ装置１１は、ユーザＵの属性が、例えば、男性である場合、男性向けの有益情報Ｊ３を配信することができる。また、サーバ装置１１は、ユーザＵの趣味が、例えば、ゲームである場合、ゲームに関する有益情報Ｊ３を配信することができる。また、サーバ装置１１は、ユーザＵの食の嗜好が、例えば、和風である場合、和風料理の飲食店に関する情報を配信することができる。
【００２６】
また、サービス情報Ｊ２には、所定領域Ｅ１４に存在する店舗に関する情報が含まれている。これにより、サーバ装置１１は、例えば、店舗の特売情報、名産品情報等の情報をユーザＵに配信することができる。
【００２７】
また、サービス情報Ｊ２は、端末１２と所定領域Ｅ１４との間の距離Ｄが第２距離Ｄ２以下になると取得されてもよい。これにより、サーバ装置１１は、端末１２が所定領域Ｅ１４にある程度近づき、端末１２が近いうちに所定領域Ｅ１４内に入ることが予測されるときに、サービス情報Ｊ２を取得することができる。
【００２８】
また、第２距離Ｄ２は、第１距離Ｄ１よりも大きな距離とする。これにより、端末１２が所定領域Ｅ１４に近づいている場合、サーバ装置１１は、サービス情報Ｊ２を取得した後、サービス情報Ｊ２に含まれる有益情報Ｊ３を配信することができる。このため、有益情報Ｊ３を配信する前の最新のサービス情報Ｊ２を、有益情報Ｊ３に反映させることができる。
【００２９】
また、ユーザ情報Ｊ１は、端末１２と所定領域Ｅ１４との間の距離Ｄが第３距離Ｄ３以下になると取得されてもよい。これにより、サーバ装置１１は、端末１２が近いうちに所定領域Ｅ１４内に入ることが予測されるときに、ユーザ情報Ｊ１を取得することができる。
【００３０】
また、第３距離Ｄ３は、第１距離Ｄ１よりも大きな距離である。これにより、端末１２が所定領域Ｅ１４に近づいている場合、サーバ装置１１は、ユーザ情報Ｊ１を取得した後、ユーザ情報Ｊ１に基づいて有益情報Ｊ３を配信することができる。このため、有益情報Ｊ３を配信する前の最新のユーザ情報Ｊ１を、有益情報Ｊ３に反映させることができる。
【００３１】
実施の形態１に係るシステムについて説明する。
図２は、実施の形態１に係るシステムを例示するブロック図である。
図２では、高速道路Ｈ１５におけるサービスエリアＥ１５に関する有益情報Ｊ３を、サーバ装置１１から車両１３や端末１２に向けて配信する情報配信システムを例に挙げる。
【００３２】
図２に示すように、実施の形態１に係るシステム１０は、車両１３とカーナビゲーション１４とサーバ装置１１とを備える。カーナビゲーション１４は、車両１３の中に配置される。カーナビゲーション１４は、携帯電話等に搭載されたアプリケーションによって実現されてもよい。カーナビゲーション１４は、図１に示す端末１２に相当し、サービスエリアＥ１５は、図１に示す所定領域Ｅ１４に相当する。
【００３３】
尚、車両を自動車と称することもある。システム１０を、サービスエリア情報配信システム又は情報配信システムと称することもある。
【００３４】
システム１０において、サービスエリアＥ１５付近の高速道路Ｈ１５を走行中の車両１３又はカーナビゲーション１４は、ユーザＵに関するユーザ情報Ｊ１をサーバ装置１１に送信する。サーバ装置１１は、車両１３又はカーナビゲーション１４から送信されたユーザ情報Ｊ１を取得し記憶する。また、サーバ装置１１は、サービスエリアＥ１５の最新のサービス情報Ｊ２を、サービスエリアＥ１５内の飲食店エリア、物産品店舗エリア等からリアルタイムで取得し記憶する。
【００３５】
サービス情報Ｊ２は、サービスエリアＥ１５に存在する店舗に関する情報を含んでいる。サービス情報Ｊ２は、例えば、食、物品、特選品等に関する情報であり、特産品販売、飲食店のメニュー等が含まれる。
【００３６】
サーバ装置１１は、サービスエリアＥ１５付近を走行中の車両１３に乗車中のユーザＵのユーザ情報Ｊ１に含まれる属性等を解析する。サーバ装置１１は、カーナビゲーション１４等を介して、高速道路Ｈ１５上を走行中の車両１３の運転手や同乗者に、ユーザ情報Ｊ１に基づいたユーザＵにとって有益な有益情報Ｊ３をサービス情報Ｊ２の中から選択してリアルタイムで配信する。
【００３７】
具体的には、サーバ装置１１は、ユーザ情報Ｊ１に含まれるユーザＵの人数、ユーザＵの属性、ユーザＵの趣味及びユーザＵの嗜好の情報に基づいて、サービスエリアＥ１５のサービス情報Ｊ２の中からユーザＵの有益情報Ｊ３、すなわち、最適な情報を選択して配信する。このとき、サーバ装置１１は、車両１３とサービスエリアＥ１５との間の距離Ｄが第１距離Ｄ１以下の場合、車両１３に有益情報Ｊ３を配信する。
【００３８】
車両１３は、有益情報Ｊ３をサーバ装置１１から取得し、カーナビゲーション１４の画面上に表示する。尚、車両１３の運転手や同乗者（搭乗者）は、ユーザＵに相当する。また、有益情報を、おすすめ情報と称することもある。
【００３９】
次に、実施の形態１に係るシステムの動作について説明する。
図３は、実施の形態１に係るシステムの処理フローを例示するフローチャートである。
【００４０】
図３に示すように、サーバ装置１１は、サービスエリアＥ１５の最新のサービス情報Ｊ２を取得する（ステップＳ１０１）。サーバ装置１１は、その最新のサービス情報Ｊ２を取得し収集し記憶する（ステップＳ１０２）。尚、サービス情報をサービスエリア情報と称することもある。
【００４１】
サーバ装置１１は、サービスエリアＥ１５付近の高速道路Ｈ１５上を走行中の車両１３を探索する（ステップＳ１０３）。サービスエリアＥ１５付近を走行中の車両１３は、ユーザＵ（搭乗者）の人数、属性、趣味、嗜好を含むユーザ情報Ｊ１をサーバ装置１１に送信する（ステップＳ１０４）。
【００４２】
サーバ装置１１は、走行中の車両１３から取得したユーザＵの属性や趣味や嗜好の情報を解析する（ステップＳ１０５）。サーバ装置１１は、サービスエリアＥ１５のサービス情報Ｊ２の中から、ユーザＵの属性や趣味や嗜好に沿った情報であってユーザＵにとって有益な有益情報Ｊ３を選択する（ステップＳ１０６）。
【００４３】
ステップＳ１０５の解析結果に基づいて、サーバ装置１１は車両１３に対して有益情報Ｊ３を配信する（ステップＳ１０７）。車両１３は、サーバ装置１１から取得したユーザＵにとって有益な有益情報Ｊ３を、カーナビゲーション１４の画面に表示する（ステップＳ１０８）。
【００４４】
このようにして、システム１０を使用することにより、サービスエリアＥ１５のサービス情報Ｊ２中から車両１３のユーザＵ（搭乗者）にとって有益な有益情報Ｊ３を、リアルタイムでユーザＵに配信することができる。また、ユーザＵは、車両１３付近のサービスエリアＥ１５の最新のサービス情報Ｊ２であってユーザＵ自身の属性や趣味や嗜好に沿った有益情報Ｊ３を取得することができる。
【００４５】
尚、実施の形態１では、高速道路での使用について説明したが、これには限定されない。実施の形態１のシステム１０は、高速道路だけでなく、一般道路で使用されてもよい。
【００４６】
また、上記の実施の形態では、本発明をハードウェアの構成として説明したが、本発明はこれに限定されるものではない。本発明は、各構成要素の処理を、ＣＰＵ（Central Processing Unit）にコンピュータプログラムを実行させることにより実現することも可能である。
【００４７】
上記の実施の形態において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実態のある記録媒体(trangible storage medium)を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programable ROM）、ＥＰＲＯＭ(Erasable PROM)）、フラッシュＲＯＭ、ＲＡＭ(Random Access Memory)を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４８】
なお、本発明は上記実施の形態に限られたものではなく、趣旨を逸脱しない範囲で適宜変更することが可能である。
【符号の説明】
【００４９】
１０…システム  １１…サーバ装置  １２…端末  １３…車両  １４…カーナビゲーション  Ｅ１４…所定領域  １５…サービス情報配信装置  Ｅ１５…サービスエリア  Ｈ１５…高速道路  １１１…記憶部  １１２…情報生成部  １１３…配信部  １２１…送信部  １２２…受信部  Ｄ…距離  Ｄ１…第１距離  Ｄ２…第２距離  Ｄ３…第３距離  Ｊ１…ユーザ情報  Ｊ２…サービス情報  Ｊ３…有益情報  Ｕ…ユーザ
【図１】
2018147245.tif 000003
【図２】
2018147245.tif 000004
【図３】
2018147245.tif 000005